【事件の表示】
　特願２００８−３２９３６９「プロジェクタ」拒絶査定不服審判事件〔平成２２年　７月　８日出願公開、特開２０１０−１５２０４６〕について、次のとおり審決する。
【結　論】
　本件審判の請求は、成り立たない。
【理　由】
１　手続の経緯 
　本願は、平成２０年１２月２５日の出願であって、平成２５年７月２９日付けで拒絶査定がなされた。
　本件は、これを不服として、同年１０月２９日に請求された拒絶査定不服審判であって、当審において、平成２６年９月５日付けで拒絶の理由が通知され、これに対して、同年１１月６日付けで意見書が提出されるととともに、手続補正がなされたものである。
 　 
２　本願発明 
　本願の請求項１に係る発明（以下「本願発明」という。）は、平成２６年１１月６日付けの手続補正（以下「本件補正」という。）によって補正された特許請求の範囲の請求項１に記載された次のとおりのものと認める。 
「【請求項１】
　光源光を射出する光源と、
　前記光源から射出された光源光を複数の部分光束に分割する第１レンズアレイと、
　前記第１レンズアレイから射出された前記複数の部分光束を集光する第２レンズアレイと、
　前記第２レンズアレイから射出された前記複数の部分光束を対象とする照明領域に重畳させるコンデンサレンズと、
　前記コンデンサレンズを経た光束を画像情報に応じて変調する液晶パネルと、
を備え、
　前記コンデンサレンズは、前記重畳とともにテレセントリックな特性の照明を実現する単レンズであり、
　前記第２レンズアレイから射出された光束を第１色光と他の色光とに分離する第１色分離ミラーと、前記他の色光のうち、第２色光と第３色光とを分離する第２色分離ミラーと、前記第１色分離ミラーで反射された前記第１色光を再度反射して光路を折り曲げる第１折曲ミラーと、前記第２分離ミラーを透過した前記第３色光を反射して光路を折り曲げる第２及び第３折曲ミラーとを有する色分離導光光学系とをさらに備え、
　前記液晶パネルは前記第１色光を変調する第１液晶パネルと前記第２色光を変調する第２液晶パネルを備え、
　前記コンデンサレンズは、前記第１色分離ミラーと前記第１折曲ミラーとの間、及び前記第１色分離ミラーと前記第２色分離ミラーとの間であり、前記第２レンズアレイの射出端面から前記第１及び第２液晶パネルの光変調面までの光路の長さを３等分した区間のうち中間の区間内に配置され、
　前記第２レンズアレイと前記第１液晶パネルとの間、及び前記第２レンズアレイと前記第２液晶パネルとの間には、レンズとして前記コンデンサレンズのみが配置されているプロジェクタ。」 
　 
３　引用刊行物
（１）引用刊行物１ 
　当審における平成２６年９月５日付けの拒絶の理由に引用され、本願の出願前に頒布された「特開２００８−１６５１３６号公報」（以下「引用例１」という。）には、次の事項が記載されている。（下線は当審で付した。） 
ａ　発明の詳細な説明の記載
「【技術分野】
【０００１】
　本発明は、照明光を液晶ライトバルブによって変調し、変調された像光を投射するプロジェクタに関する。」
「【０００８】
　上記プロジェクタでは、重畳レンズから第１液晶ライトバルブまでの光路において、第１色分離ミラーと折曲ミラーとの間の第１区間にのみ結合レンズを設けているので、この結合レンズによって第１色光に関する照明光学系のＦナンバーを高い自由度で調整することができる。この際、従来第１液晶ライトバルブの直前に配置されていたフィールドレンズに代えて結合レンズを設けることになるので、色分離導光光学系等を構成するレンズ数の増加を防止でき、コストの増加や装置の大型化を防止できる。さらに、上記プロジェクタでは、フィールドレンズに代えて結合レンズを組み込むので、第１液晶ライトバルブの周辺で照明光が大きな入射角となることを防止でき、第１色光に関する照明光学系のテレセントリック性を確保することができる。」
「【００１１】
  また、本発明の別の態様によれば、第１区間に配置される結合レンズが、重畳レンズの最終端面から第１液晶ライトバルブの光変調面までの距離をＬとした場合に、重畳レンズの最終端面から（１／４）Ｌ以上（３／４）Ｌ以下の位置に配置される正の単レンズである。
【００１２】
  第１区間に配置される結合レンズが重畳レンズの最終端面から（１／４）Ｌ未満の位置に配置されると、結合レンズが第１液晶ライトバルブから離れることから、重畳レンズを大きくすることなく照明光学系のＦナンバーを小さくし、液晶ライトバルブ上に第１レンズアレイの像を結像させようとした場合、結合レンズの屈折力を小さくせざるを得ないので、第１液晶ライトバルブにおける光線はテレセントリックな状態から大きく外れ、重畳レンズや結合レンズが大型となりそれに伴って第２レンズアレイも大型になる。一方、第１区間に配置される結合レンズが重畳レンズの最終端面から（３／４）Ｌを超える位置に配置されると、結合レンズが第１液晶ライトバルブに近づくことから、照明光学系のＦナンバーを小さくし、第１液晶ライトバルブに第１レンズアレイの像を結像させようとすると、結合レンズのパワーが大きくなり過ぎて、第１液晶ライトバルブにおける照明光はテレセントリックな状態から大きく外れ、収差も大きくなる。」
「【発明を実施するための最良の形態】
【００１５】
　図１は、本発明の第１実施形態に係るプロジェクタの光学系の構成を説明する概念図である。
【００１６】
　この
プロジェクタ１０
光源ランプユニット２０、照明光学系３０、色分離導光光学系４０、光変調部６０、クロスダイクロイックプリズム７０、及び投射光学系８０を備えて構成される
【００１７】
　
光源ランプユニット２０は、ランプ本体２１から周囲に放射された光束を集めて射出し、照明光学系３０等を介して光変調部６０を照明するための光源装置である
【００１８】
　
照明光学系３０
第１マルチレンズ３１、第２マルチレンズ３２、
及び重畳レンズ３５を備えている
【００１９】
　
第１マルチレンズ３１は、
ランプ本体２１から射出された光束を複数の部分光束に分割する光束分割光学素子としての機能を有し
第２マルチレンズ３２は
第１マルチレンズ３１により分割された複数の部分光束を集光する光学素子である
【００２０】
　偏光変換装置３４は、ＰＢＳアレイと位相差板とで形成されており、第１マルチレンズ３１により分割された各部分光束の偏光方向を一方向の直線偏光に揃える役割を有する。この偏光変換装置３４のＰＢＳアレイは、詳細な図示を省略しているが、システム光軸ＯＡに対して傾斜配置される偏光分離膜及び反射ミラーを交互に配列した構成を具備する。前者の偏光分離膜は、各部分光束に含まれるＰ偏光光束及びＳ偏光光束のうち、一方の偏光光束を透過し、他方の偏光光束を反射する。反射された他方の偏光光束は、後者の反射ミラーによって曲折され、一方の偏光光束の射出方向、すなわちシステム光軸ＯＡに沿った方向に射出される。射出された偏光光束のいずれかは、偏光変換装置３４の光束射出面にストライプ状に設けられる位相差板によって偏光変換され、すべての偏光光束の偏光方向が揃えられる。このような偏光変換装置３４を用いることにより、ランプ本体２１から射出される光束を、一方向の偏光光束に揃えることができるため、光変調部６０で利用する光源光の利用率を向上させることができる。
【００２１】
　
重畳レンズ３５は
結合レンズ４３ａ，４３ｂと協働することにより、第１マルチレンズ３１、第２マルチレンズ３２、及び偏光変換装置３４を経た複数の部分光束を集光して、液晶表示パネル６１ｒ，６１ｇ，６１ｂの画像形成領域上に重畳させて入射させる
【００２２】
　
色分離導光光学系４０は、第１及び第２ダイクロイックミラー４１ａ，４１ｂ、赤色用反射ミラー４２ａ、青色用反射ミラー４２ｂ，４２ｃ、結合レンズ４３ａ，４３ｂ、リレーレンズ４５，４６、及びフィールドレンズ４３ｒを備える
光源ランプユニット２０から照明光学系３０を経て色分離導光光学系４０に入射した照明光は、第１ダイクロイックミラー４１ａで反射されてその先に延びる第１光路ＯＰ１に導かれる赤色光ＬＲと、第１ダイクロイックミラー４１ａを透過して第２ダイクロイックミラー４１ｂで反射されてその先に延びる第２光路ＯＰ２に導かれる緑色光ＬＧと、第１及び第２ダイクロイックミラー４１ａ，４１ｂを透過してその先に延びる第３光路ＯＰ３に導かれる青色光ＬＢとに分離される
【００２３】
　色分離導光光学系４０の第１光路ＯＰ１上に配置された
第１結合レンズ４３ａは
照明光学系３０の重畳レンズ３５と協働して、照明光学系３０の第１光路ＯＰ１に関するＦナンバーを一定以下に小さくしつつ、照明光学系のテレセントリック性を確保している
重畳レンズ３５から第１液晶表示パネル６１ｒまでの第１光路ＯＰ１において、第１ダイクロイックミラー４１ａと折曲ミラーである赤色用反射ミラー４２ａとの間
に結合レンズ４３ａを設けている
重畳レンズ３５から第１ダイクロイックミラー４１ａまでの区間や、赤色用反射ミラー４２ａから第１液晶表示パネル６１ｒまでの区間においては、何等のレンズも設けていない
【００２４】
　色分離導光光学系４０の第２光路ＯＰ２上に配置された
第２結合レンズ４３ｂ
照明光学系３０の重畳レンズ３５と協働して、照明光学系３０の第２光路ＯＰ２に関するＦナンバーを一定以下に小さくしつつ、照明光学系のテレセントリック性を確保している
重畳レンズ３５から第２液晶表示パネル６１ｇまでの第２光路ＯＰ２において、第１ダイクロイックミラー４１ａと第２ダイクロイックミラー４１ｂとの間
に結合レンズ４３ｂを設けている
重畳レンズ３５から第１ダイクロイックミラー４１ａまでの区間や、第２ダイクロイックミラー４１ｂから第２液晶表示パネル６１ｇまでの区間においては、何等のレンズも設けていない
【００２５】
　色分離導光光学系４０の第３光路ＯＰ３上に配置された一対のリレーレンズ４５，４６は、入射側の第１のリレーレンズ４５の直前に形成された像を、略そのまま射出側のフィールドレンズ４３ｒに伝達することにより、光の拡散等による光の利用効率の低下を防止している。つまり、両リレーレンズ４５，４６は、青色用の第３光路ＯＰ３が赤色用の第１光路ＯＰ１や緑色用の第２光路ＯＰ２よりも相対的に長くなることを補償したものである。
青色用反射ミラー４２ｂ，４２ｃは、第１及び第２ダイクロイックミラー４１ａ，４１ｂを通過した青色光ＬＢを、２度に亘って折り返して液晶表示パネル６１ｂ側に導くためのものである
【００２６】
　
光変調部６０は、３色の照明光ＬＲ，ＬＧ，ＬＢがそれぞれ入射する３つの液晶表示パネル６１ｒ，６１ｇ，６１ｂを備える
各液晶表示パネル６１ｒ，６１ｇ，６１ｂは、
与えられた画像信号に従って、それぞれに入射した偏光光束の偏光方向を変調する
ｂ　図面の記載
「【図１】
　　　　　　　　　　　　　　　　　　　　　　　　　　　　　　　　」
ｃ　引用例１記載の発明 
　上記ａ及びｂの記載事項によると、引用例１には、以下の発明（以下「引用発明」という。）が記載されていると認められる。
「光源ランプユニット２０、照明光学系３０、色分離導光光学系４０、光変調部６０、クロスダイクロイックプリズム７０、及び投射光学系８０を備えて構成されるプロジェクタ１０であって、
光源ランプユニット２０は、ランプ本体２１から周囲に放射された光束を集めて射出し、照明光学系３０等を介して光変調部６０を照明するための光源装置であり、
照明光学系３０は、
ランプ本体２１から射出された光束を複数の部分光束に分割する光束分割光学素子としての機能を有する第１マルチレンズ３１と、
第１マルチレンズ３１により分割された複数の部分光束を集光する光学素子である第２マルチレンズ３２と、
結合レンズ４３ａ，４３ｂと協働することにより、第１マルチレンズ３１、第２マルチレンズ３２を経た複数の部分光束を集光して、液晶表示パネル６１ｒ，６１ｇ，６１ｂの画像形成領域上に重畳させて入射させる重畳レンズ３５と、を備え、
色分離導光光学系４０は、第１及び第２ダイクロイックミラー４１ａ，４１ｂ、赤色用反射ミラー４２ａ、青色用反射ミラー４２ｂ，４２ｃ、結合レンズ４３ａ，４３ｂ、リレーレンズ４５，４６、及びフィールドレンズ４３ｒを備え、
光源ランプユニット２０から照明光学系３０を経て色分離導光光学系４０に入射した照明光は、第１ダイクロイックミラー４１ａで反射されてその先に延びる第１光路ＯＰ１に導かれる赤色光ＬＲと、第１ダイクロイックミラー４１ａを透過して第２ダイクロイックミラー４１ｂで反射されてその先に延びる第２光路ＯＰ２に導かれる緑色光ＬＧと、第１及び第２ダイクロイックミラー４１ａ，４１ｂを透過してその先に延びる第３光路ＯＰ３に導かれる青色光ＬＢとに分離され、
第１結合レンズ４３ａは、照明光学系３０の重畳レンズ３５と協働して、第１光路ＯＰ１に関するＦナンバーを一定以下に小さくしつつ、照明光学系のテレセントリック性を確保しており、
第２結合レンズ４３ｂは、照明光学系３０の重畳レンズ３５と協働して、第２光路ＯＰ２に関するＦナンバーを一定以下に小さくしつつ、照明光学系のテレセントリック性を確保しており、
重畳レンズ３５から第１液晶表示パネル６１ｒまでの第１光路ＯＰ１において、第１ダイクロイックミラー４１ａと折曲ミラーである赤色用反射ミラー４２ａとの間に第１結合レンズ４３ａを設けており、重畳レンズ３５から第１ダイクロイックミラー４１ａまでの区間や、赤色用反射ミラー４２ａから第１液晶表示パネル６１ｒまでの区間においては、何等のレンズも設けておらず、
重畳レンズ３５から第２液晶表示パネル６１ｇまでの第２光路ＯＰ２において、第１ダイクロイックミラー４１ａと第２ダイクロイックミラー４１ｂとの間に第２結合レンズ４３ｂを設けており、重畳レンズ３５から第１ダイクロイックミラー４１ａまでの区間や、第２ダイクロイックミラー４１ｂから第２液晶表示パネル６１ｇまでの区間においては、何等のレンズも設けておらず、
青色用反射ミラー４２ｂ，４２ｃは、第１及び第２ダイクロイックミラー４１ａ，４１ｂを通過した青色光ＬＢを、２度に亘って折り返して液晶表示パネル６１ｂ側に導くためのものであり、
光変調部６０は、３色の照明光ＬＲ，ＬＧ，ＬＢがそれぞれ入射する３つの液晶表示パネル６１ｒ，６１ｇ，６１ｂであって、与えられた画像信号に従って、それぞれに入射した偏光光束の偏光方向を変調する液晶表示パネル６１ｒ，６１ｇ，６１ｂを備える、
プロジェクタ１０。」
　
（２）引用刊行物２ 
　当審における平成２６年９月５日付けの拒絶の理由に引用され、本願の出願前に頒布された「特開２００３−２９７１０３号公報」（以下「引用例２」という。）には、次の事項が記載されている。
ａ　発明の詳細な説明の記載
「【０００１】
【発明の属する技術分野】本発明は、液晶パネルを用いた投射型プロジェクタ装置に関する。この投射型プロジェクタ装置は、前面投射のいわゆる液晶プロジェクタや、投射型テレビといった分野に広く利用できる。」
「【００３４】図１で説明した照明装置を出射した平行光束は、インテグレータ３１としての第１のマルチレンズアレイと第２のマルチレンズアレイによって複数の二次光源に分割される。また、第２のマルチレンズアレイの直後にある偏光変換素子３２によって自然光はＰ偏光とＳ偏光に分離され、分離直後の一方の光路に配置したλ／２板によって偏光方向をそろえられる。次に、結像レンズ３３とコンデンサレンズ３５によってインテグレータ３１の二次光源像が液晶パネル３６面に重畳し照射される。尚、結像レンズ３３とコンデンサレンズ３５は、それぞれ主に、重畳作用と、テレセントリック化の作用を受け持っているが、レンズ枚数は２枚である必要は必ずしも無く、３枚でも、また逆に１枚でレンズ位置を変えることでもこの作用の実現は可能である。」
ｂ　図面の記載
「【図８】
　　　　　　　　　　　　　　　　　　　　　　　　　　」
 　 
４　対比 
　以下、本願発明と引用発明とを対比する。 
（１）引用発明の「光源ランプユニット２０は、ランプ本体２１から周囲に放射された光束を集めて射出し、照明光学系３０等を介して光変調部６０を照明するための光源装置であ」る構成は、本願発明の「光源光を射出する光源」「を備え」る構成に相当する。
　
（２）引用発明の「第１マルチレンズ３１」は、本願発明の「第１レンズアレイ」に相当する。
　そうすると、引用発明の「ランプ本体２１から射出された光束を複数の部分光束に分割する光束分割光学素子としての機能を有する第１マルチレンズ３１」「を備え」る構成は、本願発明の「光源から射出された光源光を複数の部分光束に分割する第１レンズアレイ」「を備え」る構成に相当する。
　
（３）引用発明の「第２マルチレンズ３２」は、本願発明の「第２レンズアレイ」に相当する。
　そうすると、引用発明の「第１マルチレンズ３１により分割された複数の部分光束を集光する光学素子である第２マルチレンズ３２」「を備え」る構成は、本願発明の「第１レンズアレイから射出された前記複数の部分光束を集光する第２レンズアレイ」「を備え」る構成に相当する。
　
（４）引用発明の「重畳レンズ３５」と「第１結合レンズ４３ａ」とからなるレンズ系、及び、「重畳レンズ３５」と「第２結合レンズ４３ｂ」とからなるレンズ系と、本願発明の「コンデンサレンズ」とは、「重畳させるレンズ」で共通する。
　そうすると、引用発明の「結合レンズ４３ａ，４３ｂと協働することにより、第１マルチレンズ３１、第２マルチレンズ３２を経た複数の部分光束を集光して、液晶表示パネル６１ｒ，６１ｇ，６１ｂの画像形成領域上に重畳させて入射させる重畳レンズ３５」「を備え、」「第１結合レンズ４３ａは、照明光学系３０の重畳レンズ３５と協働して、第１光路ＯＰ１に関するＦナンバーを一定以下に小さくしつつ、照明光学系のテレセントリック性を確保しており、第２結合レンズ４３ｂは、照明光学系３０の重畳レンズ３５と協働して、第２光路ＯＰ２に関するＦナンバーを一定以下に小さくしつつ、照明光学系のテレセントリック性を確保して」いる構成と、本願発明の「第２レンズアレイから射出された前記複数の部分光束を対象とする照明領域に重畳させるコンデンサレンズ」「を備え、」「コンデンサレンズは、前記重畳とともにテレセントリックな特性の照明を実現する単レンズであ」る構成とは、「第２レンズアレイから射出された前記複数の部分光束を対象とする照明領域に重畳させるレンズを備え、前記重畳させるレンズは、前記重畳とともにテレセントリックな特性の照明を実現するレンズであ」る構成で共通する。
　
（５）引用発明の「第１ダイクロイックミラー４１ａ」、「第２ダイクロイックミラー４１ｂ」、「赤色光ＬＲ」、「緑色光ＬＧ」、「青色光ＬＢ」、「色分離導光光学系４０」、「赤色用反射ミラー４２ａ」及び「青色用反射ミラー４２ｂ，４２ｃ」は、本願発明の「第１色分離ミラー」、「第２色分離ミラー」、「第１色光」、「第２色光」、「第３色光」、「色分離導光光学系」、「第１折曲ミラー」及び「第２及び第３折曲ミラー」にそれぞれ相当する。
　また、引用発明は、「重畳レンズ３５から第１液晶表示パネル６１ｒまでの第１光路ＯＰ１において、第１ダイクロイックミラー４１ａと折曲ミラーである赤色用反射ミラー４２ａとの間に第１結合レンズ４３ａを設けて」いるものであるから、本願発明の「第１色分離ミラーで反射された前記第１色光を再度反射して光路を折り曲げる第１折曲ミラー」を「備え」る構成に相当する構成を有するものである。
　さらに、引用発明は「色分離導光光学系４０は、第１及び第２ダイクロイックミラー４１ａ，４１ｂ、赤色用反射ミラー４２ａ、青色用反射ミラー４２ｂ，４２ｃ、結合レンズ４３ａ，４３ｂ、リレーレンズ４５，４６、及びフィールドレンズ４３ｒを備え」る構成を有するものであるから、引用発明の「光源ランプユニット２０から照明光学系３０を経て色分離導光光学系４０に入射した照明光は、第１ダイクロイックミラー４１ａで反射されてその先に延びる第１光路ＯＰ１に導かれる赤色光ＬＲと、第１ダイクロイックミラー４１ａを透過して第２ダイクロイックミラー４１ｂで反射されてその先に延びる第２光路ＯＰ２に導かれる緑色光ＬＧと、第１及び第２ダイクロイックミラー４１ａ，４１ｂを透過してその先に延びる第３光路ＯＰ３に導かれる青色光ＬＢとに分離され、」「青色用反射ミラー４２ｂ，４２ｃは、第１及び第２ダイクロイックミラー４１ａ，４１ｂを通過した青色光ＬＢを、２度に亘って折り返して液晶表示パネル６１ｂ側に導くためのものであ」る構成は、本願発明の「第２レンズアレイから射出された光束を第１色光と他の色光とに分離する第１色分離ミラーと、前記他の色光のうち、第２色光と第３色光とを分離する第２色分離ミラーと、前記第１色分離ミラーで反射された前記第１色光を再度反射して光路を折り曲げる第１折曲ミラーと、前記第２分離ミラーを透過した前記第３色光を反射して光路を折り曲げる第２及び第３折曲ミラーとを有する色分離導光光学系とを」「備え」る構成に相当する。
　
（６）引用発明の「３つの液晶表示パネル６１ｒ，６１ｇ，６１ｂ」は、本願発明の「液晶パネル」に相当する。
　そうすると、引用発明の「光変調部６０は、３色の照明光ＬＲ，ＬＧ，ＬＢがそれぞれ入射する３つの液晶表示パネル６１ｒ，６１ｇ，６１ｂであって、与えられた画像信号に従って、それぞれに入射した偏光光束の偏光方向を変調する液晶表示パネル６１ｒ，６１ｇ，６１ｂを備える」構成と、本願発明の「コンデンサレンズを経た光束を画像情報に応じて変調する液晶パネル」「を備え、」「液晶パネルは前記第１色光を変調する第１液晶パネルと前記第２色光を変調する第２液晶パネルを備え」る構成とは、「重畳させるレンズを経た光束を画像情報に応じて変調する液晶パネルを備え、液晶パネルは前記第１色光を変調する第１液晶パネルと前記第２色光を変調する第２液晶パネルを備える」構成で共通する。
　
　上記（１）ないし（６）から、本願発明と引用発明は、
「光源光を射出する光源と、
　前記光源から射出された光源光を複数の部分光束に分割する第１レンズアレイと、
　前記第１レンズアレイから射出された前記複数の部分光束を集光する第２レンズアレイと、
　前記第２レンズアレイから射出された前記複数の部分光束を対象とする照明領域に重畳させるレンズと、
　前記重畳させるレンズを経た光束を画像情報に応じて変調する液晶パネルと、
を備え、
　前記重畳させるレンズは、前記重畳とともにテレセントリックな特性の照明を実現するレンズであり、
　前記第２レンズアレイから射出された光束を第１色光と他の色光とに分離する第１色分離ミラーと、前記他の色光のうち、第２色光と第３色光とを分離する第２色分離ミラーと、前記第１色分離ミラーで反射された前記第１色光を再度反射して光路を折り曲げる第１折曲ミラーと、前記第２分離ミラーを透過した前記第３色光を反射して光路を折り曲げる第２及び第３折曲ミラーとを有する色分離導光光学系とをさらに備え、
　前記液晶パネルは前記第１色光を変調する第１液晶パネルと前記第２色光を変調する第２液晶パネルを備えているプロジェクタ。」 
で一致し、以下の点で相違する。
 　 
（相違点） 
　重畳させるレンズが、本願発明は、「重畳とともにテレセントリックな特性の照明を実現する単レンズであ」って、「第１色分離ミラーと前記第１折曲ミラーとの間、及び前記第１色分離ミラーと前記第２色分離ミラーとの間であり、前記第２レンズアレイの射出端面から前記第１及び第２液晶パネルの光変調面までの光路の長さを３等分した区間のうち中間の区間内に配置され、前記第２レンズアレイと前記第１液晶パネルとの間、及び前記第２レンズアレイと前記第２液晶パネルとの間には、レンズとして前記コンデンサレンズのみが配置されている」のに対し、引用発明は、「重畳レンズ３５」と「照明光学系３０の重畳レンズ３５と協働して、第１光路ＯＰ１に関する」「照明光学系のテレセントリック性を確保して」いる「第１結合レンズ４３ａ」とからなるレンズ系、「重畳レンズ３５」と「照明光学系３０の重畳レンズ３５と協働して、第２光路ＯＰ２に関する」「照明光学系のテレセントリック性を確保して」いる「第２結合レンズ４３ｂ」とからなるレンズ系であって、「重畳レンズ３５から第１液晶表示パネル６１ｒまでの第１光路ＯＰ１において、第１ダイクロイックミラー４１ａと折曲ミラーである赤色用反射ミラー４２ａとの間に第１結合レンズ４３ａを設けており、重畳レンズ３５から第１ダイクロイックミラー４１ａまでの区間や、赤色用反射ミラー４２ａから第１液晶表示パネル６１ｒまでの区間においては、何等のレンズも設けておらず、重畳レンズ３５から第２液晶表示パネル６１ｇまでの第２光路ＯＰ２において、第１ダイクロイックミラー４１ａと第２ダイクロイックミラー４１ｂとの間に第２結合レンズ４３ｂを設けており、重畳レンズ３５から第１ダイクロイックミラー４１ａまでの区間や、第２ダイクロイックミラー４１ｂから第２液晶表示パネル６１ｇまでの区間においては、何等のレンズも設けて」いない点。
 　 
５　当審の判断 
　以下、上記相違点について検討する。
　液晶パネル３６を用いたプロジェクタにおいて、インテグレータ３１と液晶パネル３６との間に位置する、重畳作用を受け持つ結像レンズ３３と、テレセントリック化の作用を受け持つコンデンサレンズ３５とからなるレンズ系を１枚のレンズとし、レンズ位置を変えることでも、該レンズ系と同様の作用を実現可能であることが、引用例２（【００３４】、図８）に記載されている。 
　そして、引用発明及び引用例２記載の事項はともに、液晶パネルを用いたプロジェクタにおけるインテグレーターからの出射光を液晶パネルにテレセントリックに重畳するレンズ系である点で共通するものであるから、引用発明において、重畳レンズ３５とテレセントリック性を確保する結合レンズ４３ａとを、また、重畳レンズ３５とテレセントリック性を確保する結合レンズ４３ｂとを、それぞれ１枚のレンズ、すなわち、単レンズとすることは、当業者が容易になし得たことである。また、その際に、レンズの位置をどの位置にするかは、当業者であれば、引用文献１に記載された、レンズを大きくすることなく、照明光学系のＦナンバーを小さくすること、Ｆナンバーを小さくしても照明光学系のテレセントリック性を確保すること（【０００８】、【００１２】、【００１３】）を考慮しながら適宜設計し得ることであるし、引用発明は、「重畳レンズ３５から第１液晶表示パネル６１ｒまでの第１光路ＯＰ１において、第１ダイクロイックミラー４１ａと折曲ミラーである赤色用反射ミラー４２ａとの間に第１結合レンズ４３ａを設けており、重畳レンズ３５から第１ダイクロイックミラー４１ａまでの区間や、赤色用反射ミラー４２ａから第１液晶表示パネル６１ｒまでの区間においては、何等のレンズも設けておらず、重畳レンズ３５から第２液晶表示パネル６１ｇまでの第２光路ＯＰ２において、第１ダイクロイックミラー４１ａと第２ダイクロイックミラー４１ｂとの間に第２結合レンズ４３ｂを設けており、重畳レンズ３５から第１ダイクロイックミラー４１ａまでの区間や、第２ダイクロイックミラー４１ｂから第２液晶表示パネル６１ｇまでの区間においては、何等のレンズも設けて」いないものであるから、引用発明の第２マルチレンズ３２と液晶表示パネル６１ｒとの間、及び、第２マルチレンズ３２と液晶表示パネル６１ｇとの間に前記１枚の単レンズであるコンデンサレンズのみを配置して、その位置を、第１ダイクロックミラー４１ａと赤色用反射ミラー４１ａとの間、及び第１ダイクロックミラー４１ａと第２ダイクロックミラー４１ｂとの間であり、第２マルチレンズ３２の射出端面から第１液晶表示パネル６１ｒ及び第２液晶表示パネル６１ｇの光変調面までの光路の長さを３等分した区間のうち中間の区間内に配置して、上記相違点に係る本願発明の発明特定事項を得ることは、当業者が容易になし得たことである。 
　相違点については上記のとおりであり、本願発明によってもたらされる効果は、引用発明及び引用例２記載の事項から当業者が予測できる範囲内のものと認められる。
　よって、本願発明は、引用発明及び引用例２記載の事項に基いて、当業者が容易に発明をすることができたものである。
　 
６　むすび 
　以上のとおり、本願発明は、引用発明及び引用例２記載の事項に基いて、当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。